(57)【要約】【課題】泡発生機にも適用可能な防塵キャップを提供する。【解決手段】泡発生機２に取付可能に設けられる防塵キャップ１を、シートによって形成されたキャップ本体１０を備え、キャップ本体１０が、少なくとも泡発生機２の発泡網２２を覆う様に設けられた被覆部１１と、泡発生機２に固定手段２４を介して固定可能に設けられた固定部１２と、泡発生機２からの泡Ｂの放出によって破断可能に設けられた破断部１２と、を有しているものとする。【選択図】図１
2020156580.tif 000002
【特許請求の範囲】
【請求項１】
泡発生機に取付可能に設けられる防塵キャップであって、
シートによって形成されたキャップ本体を備え、
該キャップ本体は、少なくとも該泡発生機の発泡網を覆う様に設けられた被覆部と、該泡発生機に固定手段を介して固定可能に設けられた固定部と、該泡発生機からの泡の放出によって破断可能に設けられた破断部と、を有していることを特徴とするキャップ。
【請求項２】
前記キャップ本体は、有底筒状に形成されると共に破断ガイド部を更に有しており、
前記固定部は、前記破断部を兼ねると共に前記泡発生機から前記泡が放出された際に該固定手段によって破断可能に設けられ、
該破断ガイド部は、該固定部の両サイドに設けられていると共に該固定部の破断をガイドするものであることを特徴とする請求項１に記載のキャップ。
【請求項３】
前記破断部は、弱化部であることを特徴とする請求項１又は２に記載のキャップ。
【発明の詳細な説明】
【技術分野】
【０００１】
本発明は、キャップに関し、より詳細には、泡発生機に用いられる防塵キャップに関する。
【背景技術】
【０００２】
従来、例えば、消火用の水噴霧ヘッドに代表される放水用のノズルは、その放水口に埃等の塵芥や油脂が堆積してしまうと、放水が阻害される可能性があったため、放水口に防塵キャップが取付けられているものがある。この防塵キャップは、放水口から放出される消火用水の水勢によって、吹き飛ばされ、放水口から外れる様になっている（例えば、特許文献１を参照）。
【０００３】
一方、例えば、泡を消火区画内に放出して堆積させることによって消火を行う泡消火設備に代表される泡発生機がある。この様な泡発生機は、発泡網を備えており、発泡網に向けて泡の原料となる薬剤を噴射することにより、該薬剤を発泡させて、泡として放出するものである（例えば、特許文献２を参照）。
【先行技術文献】
【特許文献】
【０００４】
【特許文献１】特開２０１５−３６０００号公報
【特許文献２】特開２０１８−１７５５９６号公報
【発明の開示】
【発明が解決しようとする課題】
【０００５】
泡発生機の発泡網に、埃等の塵芥や油脂が堆積し、網目が詰まってしまうと、薬剤の発泡や泡の放出が阻害されしまうため、それを防止するための手段の開発が望まれている。一見、水噴霧ヘッドと同様のキャップを発泡網に取付けることで解決する様にも思われるが、泡の勢いは、消火用水の水勢よりも遙かに小さいものであるため、泡でキャップを吹き飛ばすことは、困難と考えられており、発泡網に防塵キャップを取り付け、埃等の塵芥や油脂の堆積を防止することは行われてこなかった。
【０００６】
そこで、本発明は、泡発生機に適用可能な防塵キャップを提供することを目的とする。
【課題を解決するための手段】
【０００７】
本発明は、泡発生機に取付可能に設けられる防塵キャップであって、シートによって形成されたキャップ本体を備え、該キャップ本体は、少なくとも該泡発生機の発泡網を覆う様に設けられた被覆部と、該泡発生機に固定手段を介して固定可能に設けられた固定部と、該泡発生機からの泡の放出によって破断可能に設けられた破断部と、を有していることを特徴とする。
【０００８】
尚、本発明は、前記キャップ本体を、有底筒状に形成すると共に破断ガイド部を更に有するものとすることができ、前記固定部を、前記破断部を兼ねると共に前記泡発生機から前記泡が放出された際に該固定手段によって破断可能に設けることができ、該破断ガイド部を、該固定部の両サイドに設けられていると共に該固定部の破断をガイドするものとすることができる。又、本発明は、前記破断部を、弱化部とすることができる。
【発明の効果】
【０００９】
本発明は、キャップが、前記破断部を有するものとしたため、泡発生機から放出される泡の勢いや重量で、キャップを泡発生機より除去することが可能となっていると共に常時は、被覆部によって泡発生機の発泡網を覆っているため発泡網への埃等の塵芥や油脂の堆積を防止することが可能となっているため、泡発生機にも適用可能な防塵キャップを提供することが可能となっている。
【図面の簡単な説明】
【００１０】
【図１】本発明の実施形態の斜視図である。
【図２】本発明の実施形態を示す図であり、キャップが発泡器に取付けられた状態を示す図である。
【図３】本発明の実施形態を示す図であり、キャップが発泡器より離脱した状態を示す図である。
【発明を実施するための形態】
【００１１】
本発明の実施形態を、図１乃至図３に基づき説明する。キャップ１は、泡発生機２の防塵キャップであり、該泡発生機２に取付可能に設けられている。本実施形態において、該泡発生機２は、火災を窒息消火するために泡Ｂを放出する泡消火設備の末端に設けられるものであり、泡消火設備は、例えば、高膨張泡消火設備である。尚、本実施形態においては、泡発生機２は、ダクトに固定されたり、工作機械の上方に設置されたりし、後述する発泡網２２を備えた泡放出口が略垂直下向きに開口する縦置きで設置されるものであるが、泡放出口が略水平方向に開口する横置きで設置されるものであってもよい。
【００１２】
泡発生機２は、泡消火薬剤（以下、薬剤ともいう）を発泡させるための発泡器２０を備えている。発泡器２０は、筐体２１と、筐体２１の先端側に設けられ該薬剤を発泡させるための発泡網２２及び筐体２１内に該薬剤を供給すると共に発泡網２２に向けて放射するノズル部２３と、を有している。
【００１３】
本実施形態において、泡発生機２の発泡網２２は、略平板状を成しているが、発泡網２２の形状は適宜選択可能であり、略三角柱状その他形状とすることも可能である。又、筐体２１の側面部下方には、キャップ１を発泡器２０に固定するための固定手段の一例たるピン２４が、その外方に向けて延在している。尚、該固定手段は、必要に応じて、ピン２４以外のものも適宜選択可能である。
【００１４】
キャップ１は、泡発生機２の発泡器２０に取付可能に設けられたキャップ本体１０を備えている。キャップ本体１０は、シートより、発泡器２０の形状に合わせて形成されており、被覆部１１、固定部１２及び破断部を備えている。該破断部は、泡発生機２の発泡器２０からの泡Ｂの放出によって、泡Ｂの重量や放出に伴う力で破断可能に設けられており、該破断部が破断することによって、キャップ１は、発泡器２０から離脱して、泡発生機２からの泡Ｂの放出の妨げにならない様になっている。尚、該シートの厚さは、前記固定手段によって、キャップ１を発泡器２０に固定するのに支障がない厚さであって、該破断部が、泡Ｂの放出によって破断可能な厚さの範囲で、適宜選択可能である。
【００１５】
本実施形態においては、キャップ本体１０は、有底筒状、例えば、有底四角筒状（箱状）に形成されており、その底面部に被覆部１１が、その側面部上方に前記破断部を兼ねる固定部１２が、側面部下方に補強部１３が、設けられている。キャップ本体１０を形成する該シートの材質は、適宜選択可能であり、例えば、アルミニウム等の金属製、ビニール等の樹脂製、和紙等の紙製その他を選択可能である。特に、キャップ本体１０を、金属製のシートで形成することによって、耐熱性を確保することが可能となり、高温の気体が流れるダクト等にも使用することが可能となる。
【００１６】
尚、キャップ本体１０を成型する方法については、様々な方法を適宜選択可能であり、例えば、アルミ箔等のシートを、略箱形の展開図状（略十文字状）に切取り、それを折って成型してもよいし、始めからその形のシートとして成型する様にしても良い。
【００１７】
被覆部１１は、キャップ１を泡発生機２に取付けた際に、発泡網２２に埃等の塵芥や油脂が堆積するのを防止するために、発泡網２２の前面側を覆う様に設けられており、その形状は泡発生機２の形状に合わせて適宜選択することが可能である。
【００１８】
固定部１２は、キャップ１を発泡器２０に固定手段を介して固定可能に設けられている。本実施形態においては、固定部１２は、ピン２４が貫通可能に設けられており、その両サイドには、固定部１２の破断方向Ａに沿って、破断ガイド部１４が設けられている。即ち、本実施形態においては、固定部１２は、キャップ１が泡発生機２（発泡器２０）に取付けられた際に、キャップ１の内方側よりピン２４によって貫通されることとなる。
【００１９】
尚、固定部１２の数は適宜選択可能であるが、キャップ本体１０の各側面部に、複数の固定部１２を設けることが好ましい。この様にすることで、キャップ１が発泡器２０から離脱する際に、キャップ１が傾いてしまい固定部１２の破断が阻害される可能性をより低減することができる。
【００２０】
破断ガイド部１４は、前記固定手段（本実施形態においては、ピン２４）によって、固定部１２が破断される際に、その破断方向をガイドし、より確実にキャップ１が発泡器２０から離脱する様に設けられている。破断ガイド部１４は、例えば、当該部分を固定部１２よりも厚肉に設ける等して、固定部１２よりも強固に設けられており、発泡器２０から泡Ｂが放出された際に、少なくとも該固定手段によっては破断しない程度の強度で設けられている。尚、本実施形態においては、固定部１２の両サイドにアルミテープを貼付して当該部分を厚肉にし、補強することによって破断ガイド部１４を形成している。
【００２１】
補強部１３は、キャップ本体５の強度を高めるために設けられており、本実施形態においては、アルミテープを巻き付け、当該部分を厚肉にし、補強することによって形成されている。
【００２２】
これらによって、シートより形成されている固定部１２は、発泡器２０から泡Ｂが放出され、被覆部１１に泡Ｂの勢いや重量が掛った際に、ピン２４によって、破断する様になっており、該破断によって、キャップ１が、発泡器２０から、離脱する様になっていることとなる。
【００２３】
従って、本実施形態のキャップ１は、発泡網２２の前面を覆うことで、発泡網２２に埃等の塵芥や油脂の堆積を防止することが可能となっている一方、発泡器２０より泡Ｂが放出された際に、泡Ｂの重量や放出に伴う力によって、前記破断部（固定部１２）が破断することによって、キャップ１が発泡器２０より除去されるものとなっているため泡発生機（泡発生機２）の防塵キャップとして利用することが可能となっている。
【００２４】
本発明を、上記実施形態に基づき説明したが、本発明は上記実施形態に限定されるものではなく、発明の要旨を変更しない範囲で適宜変更可能である。
【００２５】
（１）例えば、上記実施形態においては、前記破断部を固定部１２と兼ねる様に設けたが、該破断部を固定部１２とは別個に設けることが可能である。例えば、キャップ１の側面部や被覆部１１に泡Ｂの重量や放出に伴う力で破断する程度の強度の弱化部、例えば、ミシン目や薄肉部等を設け、該破断部とすることも可能である。
【００２６】
（２）上記実施形態において、ピン２４を発泡器２０側に設けたが、例えば、螺子様のピン（図示せず）を、発泡器２０と別途に設け、キャップ１の外方より固定部１２を貫通させてキャップ１を発泡器２０に固定することも可能である。
【００２７】
（３）上記実施形態においては、破断ガイド部１４を固定部１２より厚肉にすることで設けたが、これとは逆に、キャップ本体１０の側面部の一部を薄肉に形成し、該薄肉部分を固定部１２として、該側面部の他の部分の破断ガイド部１４とすることも可能である。
【００２８】
（４）固定部１２に、ピン２４によって、より破断し易くなる様に、ミシン目や薄肉部等の弱化部（図示せず）を形成しておくことも可能であり、又、固定部１２にピン２４を貫通させるための穴を予め形成しておくことも可能である。
【００２９】
（５）上記実施形態は、高膨張泡消火設備の末端に設けられる泡発生機２のキャップ１を例として説明したが、本発明は、泡消火薬剤の発泡倍率に関わらず、様々な泡消火設備の末端に設けられる泡発生機に適用することが可能であり、より低膨張な泡消火設備の末端に設けられるより小型な泡発生機、例えば、泡ヘッド（図示せず）、にも、適用可能である。
【符号の説明】
【００３０】
１    キャップ            １０  キャップ本体        １１  被覆部
１２  固定部              １３  補強部              １４  破断ガイド部
２    泡発生機            ２０  発泡器              ２１  筐体
２２  発泡網              ２３  ノズル部            ２４  ピン
Ａ    破断方向            Ｂ    泡
【図１】
2020156580.tif 000003
【図２】
2020156580.tif 000004
【図３】
2020156580.tif 000005